(57)【要約】    【課題】  練習時のみならずプレゼンテーション実施中にもプレゼンテーション支援を行うことができ、特にプレゼンテーション実施時における発表者の負担を軽減することが可能なプレゼンテーション支援装置を提供する。    【解決手段】  プレゼンテーション実施前に発表者の発話速度を検出し、さらにプレゼンテーション実施中に発表者の発話速度を検出する（ステップＳ２０２）。前記２つの発話速度情報５０１の差が許容範囲内でないときに、アドバイス情報を生成し出力する（ステップＳ２０３〜Ｓ２０６）。例えば、発話速度が速すぎれば、ゆっくり話す旨を促すアドバイス情報を生成し、遅すぎれば速く話す旨を促すアドバイス情報を生成する。アドバイス情報は、画面に出力される表示情報５０２の切り替わりに応じて生成し、音声で出力する。【選択図】        図５
2005208163.tif 000002
【特許請求の範囲】
【請求項１】
発表者の発話状態を検出する手段と、
前記検出された発話状態に基づいてアドバイス情報を生成する手段と、
前記生成されたアドバイス情報を音声出力する手段とを
備えたことを特徴とするプレゼンテーション支援装置。
【請求項２】
表示情報を出力する表示情報出力手段と、
前記表示情報の切り替わりの有無を検出する情報切り替わり検出手段と、
発表者の発話状態を検出する発話速度検出手段と、
前記表示情報の切り替わりの有無に応じて、前記検出された発話状態に基づいたアドバイス情報を生成し出力するアドバイス生成出力手段とを備えたことを特徴とするプレゼンテーション支援装置。
【請求項３】
プレゼンテーション実施前に発表者の発話速度を検出する第一の検出手段と、
プレゼンテーション実施中に発表者の発話速度を検出する第二の検出手段と、
前記第一の検出手段によって検出された発話速度と前記第二の検出手段によって検出された発話速度との差に基づいてアドバイス情報を生成し出力するアドバイス生成手段とを備えたことを特徴とするプレゼンテーション支援装置。
【請求項４】
表示情報を出力する表示情報出力手段と、
前記表示情報の切り替わりの有無を検出する手段とを更に備え、
前記アドバイス生成手段は、前記表示情報の切り替わりの有無に応じて、前記アドバイス情報を生成することを特徴とする請求項３に記載のプレゼンテーション支援装置。
【請求項５】
前記アドバイス生成手段は、前記アドバイス情報を音声出力することを特徴とする請求項２乃至４に記載のプレゼンテーション支援装置。
【請求項６】
発表者の発話状態を検出する工程と、
前記検出された発話状態に基づいてアドバイス情報を生成する工程と、
前記生成されたアドバイス情報を音声出力する工程とを
順次実行することを特徴とするプレゼンテーション支援方法。
【請求項７】
表示情報を出力する表示情報出力工程と、
前記表示情報の切り替わりの有無を検出する情報切り替わり検出工程と、
発表者の発話状態を検出する発話状態検出工程と、
前記表示情報の切り替わりの有無に応じて、前記検出された発話状態に基づいたアドバイス情報を生成し出力するアドバイス生成出力工程とを有することを特徴とするプレゼンテーション支援方法。
【請求項８】
プレゼンテーション実施前に発表者の発話速度を検出する第一の検出工程と、
プレゼンテーション実施中に発表者の発話速度を検出する第二の検出工程と、
前記第一の検出工程によって検出された発話速度と前記第二の検出工程によって検出された発話速度との差に基づいてアドバイス情報を生成し出力するアドバイス生成工程とを順次実行することを特徴とするプレゼンテーション支援方法。
【請求項９】
発表者のプレゼンテーションを支援するプレゼンテーション支援装置の制御方法を実行するための、コンピュータで読み取り可能な制御プログラムであって、
発表者の発話状態を検出するステップと、
前記検出された発話状態に基づいてアドバイス情報を生成するステップと、
前記生成されたアドバイス情報を音声出力するステップとを
備えたことを特徴とする制御プログラム。
【請求項１０】
発表者のプレゼンテーションを支援するプレゼンテーション支援装置の制御方法を実行するための、コンピュータで読み取り可能な制御プログラムであって、
表示情報を出力する表示情報出力ステップと、
前記表示情報の切り替わりの有無を検出する情報切り替わり検出ステップと、
発表者の発話状態を検出する発話状態検出ステップと、
前記表示情報の切り替わりの有無に応じて、前記検出された発話状態に基づいたアドバイス情報を生成し出力するアドバイス生成出力ステップとを有することを特徴とする制御プログラム。
【請求項１１】
発表者のプレゼンテーションを支援するプレゼンテーション支援装置の制御方法を実行するための、コンピュータで読み取り可能な制御プログラムであって、
プレゼンテーション実施前に発表者の発話速度を検出する第一の検出ステップと、
プレゼンテーション実施中に発表者の発話速度を検出する第二の検出ステップと、
前記第一の検出ステップによって検出された発話速度と前記第二の検出ステップによって検出された発話速度との差に基づいてアドバイス情報を生成し出力するアドバイス生成ステップとを有することを特徴とする制御プログラム。
【発明の詳細な説明】
【技術分野】
【０００１】
本発明は、発表者のプレゼンテーションを支援するプレゼンテーション支援装置、プレゼンテーション支援方法及び制御プログラムに関するものである。
【背景技術】
【０００２】
従来より、プレゼンテーション内容に関する情報を画面に表示することによって聴衆に提示し、発表者のプレゼンテーションを支援するプレゼンテーション支援装置がある。
【０００３】
さらに、より積極的に発表者を支援するプレゼンテーション支援装置も提案されている（特許文献１，２参照）。例えば、特許文献１では、プレゼンテーション原稿の作成を支援すると共に、フィードバック情報を画像として画面に表示するほか、プレゼンテーション練習時の音声を分析して発話速度・発話時間・抑揚等の音響的特徴を計算し、理想的な値との差を評価することによって、プレゼンテーションの練習を支援している。また、特許文献２では、発表者の心理状態を認識してプロンプタに表示することによって、発表者にフィードバック情報を与え、プレゼンテーションを支援している。
【特許文献１】特開平０７−３３４０７５公報
【特許文献２】特開平１０−２５４４８４公報
【発明の開示】
【発明が解決しようとする課題】
【０００４】
しかしながら、上記従来のプレゼンテーション支援装置には、以下の問題点があった。
【０００５】
（１）フィードバック情報を与える手段に問題がある。特許文献１の支援装置では、フィードバック情報を画像として表示することが可能であるが、画像が聴衆に見える箇所に表示されるため、プレゼンテーション実施中に使用することができず、プレゼンテーション支援が練習時に限定されてしまう。
【０００６】
一方、特許文献２では、フィードバック情報をプロンプタ等の聴衆には見えない箇所に表示することによって、プレゼンテーション実施中の支援を可能にしている。しかし、この場合、発表者はプロンプタ上の画像と聴衆向けに提示している画像の双方に注意を払わなくてはならない。すなわち、視覚情報を複数の用途に用いることになり、発表者にとって負担が大きい。
【０００７】
（２）評価基準の問題がある。特許文献１においては、前記理想的な値とは多くの場合抽象的なものであり、具体的な比較対象とする値を求めるのは困難である。特に、発話速度のような音響的特徴は、重要な箇所はゆっくり話し、簡単に済ませる箇所は比較的早口で話すといったように、プレゼンテーションを通じて変動するものであり、基準を求めるのが困難である。
【０００８】
一方、特許文献２は、発表者にフィードバックを与えることを主眼としているため、評価値に関する問題は大きくはない。しかし、より積極的なフィードバックを与えるためには、何らかの基準で評価する必要がある。
【０００９】
本発明は上記従来の問題点に鑑み、練習時のみならずプレゼンテーション実施中にもプレゼンテーション支援を行うことができ、特にプレゼンテーション実施時における発表者の負担を軽減することが可能なプレゼンテーション支援装置、プレゼンテーション支援方法及び制御プログラムを提供することを目的とする。
【００１０】
また、本発明は、練習通りのプレゼンテーションを行えるようにすることにより評価基準を外から与える必要をなくしたプレゼンテーション支援装置、プレゼンテーション支援方法及び制御プログラムを提供することを他の目的とする。
【課題を解決するための手段】
【００１１】
上記目的を達成するために、本発明のプレゼンテーション支援装置は、発表者の発話状態を検出する手段と、前記検出された発話状態に基づいてアドバイス情報を生成する手段と、前記生成されたアドバイス情報を音声出力する手段とを備えたことを特徴とする。
【００１２】
本発明のプレゼンテーション支援装置は、表示情報を出力する表示情報出力手段と、前記表示情報の切り替わりの有無を検出する情報切り替わり検出手段と、発表者の発話状態を検出する発話速度検出手段と、前記表示情報の切り替わりの有無に応じて、前記検出された発話状態に基づいたアドバイス情報を生成し出力するアドバイス生成出力手段とを備えたことを特徴とする。
【００１３】
本発明のプレゼンテーション支援装置は、プレゼンテーション実施前に発表者の発話速度を検出する第一の検出手段と、プレゼンテーション実施中に発表者の発話速度を検出する第二の検出手段と、前記第一の検出手段によって検出された発話速度と前記第二の検出手段によって検出された発話速度との差に基づいてアドバイス情報を生成し出力するアドバイス生成手段とを備えたことを特徴とする。
【００１４】
本発明のプレゼンテーション支援方法は、発表者の発話状態を検出する工程と、前記検出された発話状態に基づいてアドバイス情報を生成する工程と、前記生成されたアドバイス情報を音声出力する工程とを順次実行することを特徴とする。
【００１５】
本発明のプレゼンテーション支援方法は、表示情報を出力する表示情報出力工程と、前記表示情報の切り替わりの有無を検出する情報切り替わり検出工程と、発表者の発話状態を検出する発話状態検出工程と、前記表示情報の切り替わりの有無に応じて、前記検出された発話状態に基づいたアドバイス情報を生成し出力するアドバイス生成出力工程とを有することを特徴とする。
【００１６】
本発明のプレゼンテーション支援方法は、プレゼンテーション実施前に発表者の発話速度を検出する第一の検出工程と、プレゼンテーション実施中に発表者の発話速度を検出する第二の検出工程と、前記第一の検出工程によって検出された発話速度と前記第二の検出工程によって検出された発話速度との差に基づいてアドバイス情報を生成し出力するアドバイス生成工程とを順次実行することを特徴とする。
【００１７】
本発明の制御プログラムは、発表者のプレゼンテーションを支援するプレゼンテーション支援装置の制御方法を実行するための、コンピュータで読み取り可能な制御プログラムであって、発表者の発話状態を検出するステップと、前記検出された発話状態に基づいてアドバイス情報を生成するステップと、前記生成されたアドバイス情報を音声出力するステップとを備えたことを特徴とする。
【００１８】
本発明の制御プログラムは、発表者のプレゼンテーションを支援するプレゼンテーション支援装置の制御方法を実行するための、コンピュータで読み取り可能な制御プログラムであって、表示情報を出力する表示情報出力ステップと、前記表示情報の切り替わりの有無を検出する情報切り替わり検出ステップと、発表者の発話状態を検出する発話状態検出ステップと、前記表示情報の切り替わりの有無に応じて、前記検出された発話状態に基づいたアドバイス情報を生成し出力するアドバイス生成出力ステップとを有することを特徴とする。
【００１９】
本発明の制御プログラムは、発表者のプレゼンテーションを支援するプレゼンテーション支援装置の制御方法を実行するための、コンピュータで読み取り可能な制御プログラムであって、プレゼンテーション実施前に発表者の発話速度を検出する第一の検出ステップと、プレゼンテーション実施中に発表者の発話速度を検出する第二の検出ステップと、前記第一の検出ステップによって検出された発話速度と前記第二の検出ステップによって検出された発話速度との差に基づいてアドバイス情報を生成し出力するアドバイス生成ステップとを有することを特徴とする。
【発明の効果】
【００２０】
本発明によれば、練習時のみならずプレゼンテーション実施中にもプレゼンテーション支援を行うことができ、特にプレゼンテーション実施時における発表者の負担を軽減することが可能になる。
【００２１】
また、表示情報の切り替わりに応じて、アドバイス情報の内容に変化をつけることが可能になる。
【００２２】
さらに、練習通りのプレゼンテーションを行うことが可能になるため、評価基準を外から与える必要がなくなる。
【発明を実施するための最良の形態】
【００２３】
本発明のプレゼンテーション支援装置、プレゼンテーション支援方法及び制御プログラムの実施の形態について、図面を参照しながら説明する。
【００２４】
＜本実施形態の構成＞
図１は、本発明の実施の一形態に係るプレゼンテーション支援装置のプレゼンテーション練習時ハードウェア構成を示すブロック図である。
【００２５】
このプレゼンテーション支援装置は、中央処理装置１１、出力装置１２、入力装置１３、音声入力装置１４、外部記憶装置１５、ＲＯＭ１６及びＲＡＭ１７が、バス２０に接続されている。
【００２６】
中央処理装置１１は、数値演算・制御等の処理を行う装置であり、ＲＯＭ１６に格納された本実施形態の特徴を成す手順等の制御プログラムを実行する。出力装置１２は、ユーザに対して情報を提示する装置であり、外部記憶装置１５から読み出された表示情報５０２を出力する。
【００２７】
入力装置１３はタッチパネルやキーボード等で構成され、ユーザが本装置に対して動作の指示を与え、あるいは情報を入力するための装置である。音声入力装置１４は音声を入力するマイク等の装置であり、例えばプレゼンテーション用の音声を入力する。
【００２８】
外部記憶装置１５は、ディスクや不揮発メモリ等の装置であり、発話速度情報５０１や表示情報５０２が保持される。また、外部記憶装置１５は、ＣＤ−ＲＯＭやメモリカードといった可搬性のある記憶装置であっても良く、これによって利便性を高めることもできる。
【００２９】
ＲＯＭ１６は、読み取り専用の記憶装置であり、後述する図３〜図６のフローチャートに示す手順や固定的データが格納される。ＲＡＭ１７は、書き込み／読み取りが可能な記憶装置であり、一時的なデータや各種フラグ等の一時情報を保持する。
【００３０】
図２は、本実施形態に係るプレゼンテーション支援装置のプレゼンテーション実施時ハードウェア構成を示すブロック図である。
【００３１】
このプレゼンテーション支援装置の構成は、図１の構成において、ＲＯＭ１６（またはＲＡＭ１７）に音声出力メッセージ６０１を記録し、加えて、この音声出力メッセージ６０１を出力するための音声出力装置１８を設けたものである。音声出力装置１８の出力は、発表者にのみ聞こえるべきものであるため、音声出力装置１８としては、イヤホンやヘッドホンあるいは指向性の高い出力が可能な装置で構成する。
【００３２】
なお、プレゼンテーション実施時には、音声入力装置１４を、拡声のための音声入力装置と兼用しても良い。また、上記図１に示したプレゼンテーション練習時のハードウェア構成、及びプレゼンテーション実施時のハードウェア構成の説明において、共通の機能を持つ装置には同じ符号を付したが、これらは必ずしも同一の部材である必要はない。例えば、プレゼンテーション練習時のハードウェアはパーソナルコンピュータを利用した装置で構成し、プレゼンテーション実施時には専用の装置構成を用いることも可能である。この場合、発話速度情報５０１及び表示情報５０２が前記２つの構成間で共有される。
【００３３】
＜本実施形態の処理＞
以下、図３〜図６のフローチャートを参照しつつ、本実施形態の処理を説明する。なお、図３〜図６のフローチャートに従ったプログラムをＲＯＭ１６に格納し、中央処理装置１１で実行することにより、以下の制御方法を実現させることが可能となる。
【００３４】
Ｉ．基本フロー
図３は、プレゼンテーション練習時及びプレゼンテーション実施時の基本フローを示すフローチャートである。
【００３５】
まず、ステップＳ１において、入力装置１３からの表示切り替え指示を受け付ける。次に、ステップＳ２において、前記ステップＳ１で受け付けた指示に従い、出力装置１２に出力する表示情報５０２の内容を切り替える。
【００３６】
プレゼンテーション練習時及びプレゼンテーション実施時の基本フローは、前記表示切り替え指示入力処理（ステップＳ１）と表示切り替え処理（ステップＳ２）の繰り返しである。
【００３７】
ＩＩ．プレゼンテーション練習時の処理フロー
次に、図４のフローチャートに即して、プレゼンテーション練習時の処理フローを説明する。なお、本フローは、前記基本フローと合成されたフローとして実現しても良いし、個別のフローとして並行動作しても良い。
【００３８】
まず、ステップＳ１０１において、発表者の発話速度を計算する。発話速度の計算方法については後述する。次に、ステップＳ１０２で、出力装置１２に出力された表示情報５０２の内容が切り替わったかどうかを判定する。この表示切り替えの判定には、前記表示切り替え指示入力（ステップＳ１）における入力を用いても良いし、出力装置１２に出力された情報の差分を用いても良い。ステップＳ１０１における表示切り替えの判定結果、表示が切り替わっていればステップＳ１０３に進み、表示が切り替わっていなければ前記ステップＳ１０１の第一発話速度計算処理に戻る。
【００３９】
ステップＳ１０３の第一発話速度記録処理では、前記ステップＳ１０１の第一発話速度計算処理で計算された発話速度情報５０１を外部記憶装置１５に記録する。次に、ステップＳ１０４において、それまでに計算された発話速度に関する情報を初期化し、ステップＳ１０１の第一発話速度計算処理に処理を戻す。
【００４０】
以上の処理の結果、出力装置１２の出力内容に対応した発話速度が得られる。
【００４１】
ＩＩＩ．プレゼンテーション実施時の処理フロー
次に、図５のフローチャートに即して、プレゼンテーション実施時の処理フローを説明する。なお、本フローは、前記基本フローと合成されたフローとして実現しても良いし、個別のフローとして並行動作しても良い。
【００４２】
まず、ステップＳ２０１において、前記ステップＳ１０３の第一発話速度記録処理で記録された発話速度（第一発話速度）を外部記憶装置１５から読み込む。次に、ステップＳ２０２において、発表者の発話速度（第二発話速度）を計算する。この第二発話速度の計算方法は、第一発話速度計算ステップＳ１０１における処理と同様である（後述する）。
【００４３】
次に、ステップＳ２０３において、前記ステップＳ２０１の第一発話速度読み込み処理で読み込まれた発話速度と前記ステップＳ２０２の第二発話速度計算処理で計算された発話速度との差を計算する。
【００４４】
その後のステップＳ２０４においては、前記ステップＳ２０３の発話速度差計算処理で計算された発話速度差が許容範囲内にあるかどうかを判定する。発話速度差が許容範囲内であればステップＳ２０７へ処理を進め、許容範囲外であればステップＳ２０５へ処理を進める。
【００４５】
続くステップＳ２０５では、前記ステップＳ２０３の発話速度差計算処理で計算された発話速度差に基づいて発表者へのアドバイス情報を生成する。例えば、前記ステップＳ２０２の第二発話速度計算処理で計算された発話速度が速すぎれば、ゆっくり話す旨を促すアドバイス情報を生成し、遅すぎれば速く話す旨を促すアドバイス情報を生成する。
【００４６】
次に、ステップＳ２０６では、前記ステップＳ２０５のアドバイス情報生成処理で生成されたアドバイス情報に基づいて、音声出力装置１８から音声出力を行い、ステップＳ２０７へ処理を進める。
【００４７】
ステップＳ２０７では、前記ステップＳ１０２の第一表示切り替え判定処理と同様にして出力装置１２から出力される出力内容（表示情報５０２）が切り替わったかを判定する。出力内容が切り替わっていれば前記ステップＳ２０１の第一発話速度読み込み処理へ処理を進め、表示が切り替わっていなければ前記ステップＳ２０２の第二発話速度計算処理へ処理を進める。
【００４８】
ＩＶ．発話速度計算の処理フロー
次に、図６のフローチャートに即して、発話速度計算の処理フローを説明する。本フローは、音声認識の手法として広く用いられている手法の応用であり、音声認識のために考案された種々の手法を採り入れることが可能である。
【００４９】
まず、ステップＳ３０１において、発表者の発声している区間を検出する。最も簡易な方法では、音声入力装置１４に入力された音声のパワーを計算し、パワーが一定値以上の区間を音声区間と見なすことができる。
【００５０】
次のステップＳ３０２においては、前記ステップＳ３０１の音声区間検出処理で検出された音声区間の内容を認識する。具体的には、全音節の連鎖を許した音声認識や、大語彙音声認識等を行う。本実施形態においては、発話速度を求めることが目的であるため、多少の誤認識は許容される。
【００５１】
続くステップＳ３０３においては、前記ステップＳ３０２の任意語音声認識処理で得られた認識結果と、前記ステップＳ３０１の音声区間検出処理で得られた音声区間の時間長とより平均音節時間長を計算する。この平均音節時間長の逆数をもって、発話速度とすることができる。
【００５２】
以上のように本実施形態によれば、イヤホン等の適切な音声出力装置１８を用いて、アドバイス情報を音声で与えることにより、練習時のみならずプレゼンテーション実施時にもプレゼンテーション支援を行うことができる。特にプレゼンテーション実施時には、発表者の視覚は、聴衆向けに提示している画像に集中することができるため、発表者の負担を軽減することができる。音声情報は割り込み効果が高いため、発表者が画像に表示された情報やプレゼンテーションの行為に集中していても、適切に注意を喚起することが可能である。
【００５３】
また、表示が切り替わる毎に基準となる発話速度が更新されるため、発表内容に応じて発話速度に変化をつけることが可能になる。さらに、プレゼンテーション練習時の発話速度とプレゼンテーション実施時の発話速度との差を用いて、練習通りのプレゼンテーションを行えるようになる。このため、評価基準を外から与える必要がなくなる。
【００５４】
なお、本発明は、上述した実施形態の装置に限定されず、複数の機器から構成されるシステムに適用しても、１つの機器から成る装置に適用しても良い。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００５５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００５６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【図面の簡単な説明】
【００５７】
【図１】本発明の実施の一形態に係るプレゼンテーション支援装置のプレゼンテーション練習時のハードウェア構成を示すブロック図である。
【図２】実施形態に係るプレゼンテーション支援装置のプレゼンテーション実施時のハードウェア構成を示すブロック図である。
【図３】実施形態に係るプレゼンテーション練習時及びプレゼンテーション実施時の基本フローを示すフローチャートである。
【図４】実施形態に係るプレゼンテーション練習時の処理フローを示すフローチャートである。
【図５】実施形態に係るプレゼンテーション実施時の処理フローを示すフローチャートである。
【図６】実施形態に係る発話速度計算の処理フローを示すフローチャートである。
【符号の説明】
【００５８】
１１  中央処理装置
１２  出力装置
１３  入力装置
１４  音声入力装置
１５  記憶装置
１６  ＲＯＭ
１７  ＲＡＭ
１８  音声出力装置
５０１  発話速度情報
５０２  表示情報
【図１】
2005208163.tif 000003
【図２】
2005208163.tif 000004
【図３】
2005208163.tif 000005
【図４】
2005208163.tif 000006
【図５】
2005208163.tif 000007
【図６】
2005208163.tif 000008